(57)【要約】 【課題】回転体の摩擦抵抗をゼロにし、所定の回転範囲内で回転する回転体の回転を発電機に伝達して所定の発電量が生成可能の発電装置を創ることを課題とする。【解決の手段】電動モーター（１）の回転軸を回転体に連結し、回転体の下部に設けてある多数の微細な孔（４）が開けてある円弧形の菅（５）から空気を噴き出させ、前記空気が多数の微細な孔（４）を塞いでいた回転体の底部の「所定の範囲」を浮上させ、回転体の円周縁の2箇所に長手方向に設けてある2箇所のゴム磁石のＮ極と2箇所のゴム磁石と対面している円弧形の菅（５）に設けてある2箇所の永久磁石のＮ極が反発して回転体は所定の回転範囲内で回転することで課題を解決する。【選択図】  図３
2019122181.tif 000002
【特許請求の範囲】
【請求項１】
電動モーター（１）と発電機（５３）の間に回転体Ａ（２）が設けられ、前記電動モーター（１）の回転軸に連結してある前記回転体Ａ（２）の底部（３）には多数の微細な孔（４）が開けてある円弧形の菅（５）が設けられ、
前記回転体Ａ（２）の円周縁の垂直方向の高さの中間であって、回転体Ａ（２）の長手方向にゴム磁石Ｑ（８）が設けてあり、前記ゴム磁石Ｑ（８）と対面している円弧形の菅（５）にはゴム磁石Ｑ（８）と向き合って永久磁石Ｓ（１０）が設置され、
回転体Ａ（２）の前記ゴム磁石Ｑ（８）と回転体Ａ（２）の底部との円周縁の中間であって前記回転体Ａ（２）の長手方向にゴム磁石Ｗ（１４）が設けてあり、前記ゴム磁石Ｗ（１４）と対面している円弧形の菅（５）には前記ゴム磁石Ｗ（１４）と向き合って永久磁石Ｙ（１６）が設置されている装置において
回転体Ａ（２）の底部（３）の「所定の範囲」に対面して設けてある前記円弧形の菅（５）の多数の微細な孔（４）から出て来る空気が前記回転体Ａ（２）の底部（３）を浮上させる機能を有し、前記回転体Ａ（２）は円弧形の菅（５）に接触せずに所定の回転範囲内で摩擦抵抗ゼロで回転することを特徴とする発電装置。
【請求項２】
前記多数の微細な孔（４）から出て来る空気が前記回転体Ａ（２）の底部（３）を浮上させる機能は、大気圧をM0（２０）、多数の微細な孔（４）と回転体Ａ（２）の底部（３）との間の圧力を圧力M１（１９）、円弧形の菅（５）の中の圧力を圧力M（２１）として、前記円弧形の菅（５）内には送風機（２３）から空気が注入され続けていて、回転体Ａ（２）の底部（３）の「所定の範囲」が前記「所定の範囲」と対面している前記多数の微細な孔（４）を塞ぐと、「ベルヌーイの定理」から圧力M１（１９）は圧力M（２１）程度まで高められ、圧力M（２１）が徐々に高まるとともに圧力M１（１９）も高まって、前記多数の微細な孔（４）を塞いでいる回転体Ａ（２）の底部（３）の「所定の範囲」の表面積をL（２２）とすると（M−M0）×Lの力より大きくなって、圧力M１（１９）が回転体Ａ（２）の下方から回転体Ａ（２）の底部（３）の「所定の範囲」に働き、回転体Ａ（２）の底部（３）を「浮上」させ、前記「浮上」は、回転体Ａ（２）の底部（３）に下向きに働いている重力と釣り合う位置まで「浮上」することを特徴とする請求項１記載の発電装置。
【請求項３】
電子セオドライトと光波距離計を組み合せたトータルステーションが設けられ、請求項２記載の回転体Ａ（２）の底部（３）に下向きに働いている重力と釣り合う位置まで「浮上」が行われると回転体Ａ（２）の底部（３）の「所定の範囲」と前記回転体Ａ（２）の底部（３）の「所定の範囲」と対面している多数の微細な孔（４）との間の圧力M１（１９）は円弧形の菅（５）の中の圧力M（２１）より若干低くなり、回転体Ａ（２）の底部（３）が下がり始める時、前記トータルステーションで底部（３）の下がりをキャッチし、送風機（２３）の回転数を増やしてホース（２５）を経由した送風量＝空気量が円弧形の菅（５）へ送風されて多数の微細な孔（４）と回転体Ａ（２）の底部（３）の「所定の範囲」との間隔は所定の距離に維持されることを特徴とする請求項２記載の発電装置。
【請求項４】
回転体Ａ（２）の断面の底部（３）に水平に引かれた接線I(36)と平行に前記回転体Ａ（２）の断面の中心点G（３４）を通過している線が回転体Ａ（２）の円周縁と交わっている回転体Ａ（２）の電動モーター（１）と対面している円周縁Ｏ（６）から発電機（５３）と対面している円周縁Ｐ（７）までにゴム磁石Ｑ（８）が設けてあり、前記ゴム磁石Ｑ（８）が前記円弧形の菅（５）に向き合っている磁極はＮ極R（９）であり、
前記円周縁Ｏ（６）から円周縁Ｐ（７）までの部分と向き合っている前記円弧形の菅（５）には永久磁石Ｓ（１０）が設置され、前記永久磁石Ｓ（１０）が回転体Ａ（２）に向き合っている磁極はＮ極Ｔ（１１）で、回転体Ａ（２）が前記円弧形の菅（５）に近づくと前記Ｎ極Ｒ（９）と前記Ｎ極Ｔ（１１）が反発して回転体Ａ（２）は所定の回転範囲内に押し戻されて、前記回転体Ａ（２）と前記円弧形の菅（５）は接触することが無いことを特徴とする請求項１記載の発電装置。
【請求項５】
前記ゴム磁石Ｑ（８）と回転体Ａ（２）の底部までの中間である回転体Ａ（２）の円周縁にゴム磁石Ｗ（１４）が回転体Ａ（２）の長手方向に、回転体Ａ（２）の電動モーター（１）と対面している円周縁Ｕ（１２）から発電機（５３）と対面している円周縁Ｖ（１３）までに設けてあり、前記ゴム磁石Ｗ（１４）が前記円弧形の菅（５）に向き合っている磁極はＮ極Ｘ（１５）であり、前記電動モーター（（１）と対面している円周縁Ｕ（１２）から発電機（５３）と対面している円周縁Ｖ（１３）までの部分と向き合っている前記円弧形の菅（５）に永久磁石Ｙ（１６）が設置され、前記永久磁石Ｙ（１６）が回転体Ａ（２）に向き合っている磁極はＮ極Ｚ（１７）で、回転体Ａ（２）が前記円弧形の菅（５）に近づくと前記Ｎ極X（１５）と前記Ｎ極Z（１７）が反発して回転体Ａ（２）は所定の回転範囲内に押し戻され、前記回転体Ａ（２）と前記円弧形の菅（５）は接触することが無いことを特徴とする請求項１記載の発電装置。
【発明の詳細な説明】
【技術分野】
【０００１】
本発明は、発電装置に関するものである。
【背景技術】
【０００２】
特許庁のホームページの検索で、「発電装置  摩擦抵抗ゼロ」andで検索したがヒット件数ゼロであった。
回転体を浮上させる代表的な技術として超伝導磁石を利用したリニア新幹線がある。
リニア新幹線の原理を詳述してある非特許文献１としてJR東海の公式サイトがある。
非特許文献１によると、次世代の扉を開く輸送システムの中で、推進の原理を、
「ガイドウェイの推進コイルに電流を流すことにより磁界（Ｎ極・Ｓ極）が発生し、車両の超伝導磁石（Ｎ極・Ｓ極を交互に配置）との間で、引き合う力と反発する力が発生します。これを利用して車両（超伝導磁石）が前進します。」と記載し、浮上の原理を
「ガイドウェイの側壁両側に浮上・案内コイルが設置されており、車両の超伝導磁石が高速で通過すると両側の浮上・案内コイルに電流が流れて電磁石となり、車両（超伝導磁石）を押し上げる力（反発力）と引き上げる力（吸引力）が発生します。」と記載してある。
非特許文献１においては、車両の超伝導磁石の磁極の切替えで前記磁極のＮ極が少し後ろにある推進コイルのＮ極に反発し、少し前の推進コイルのＳ極に引き付けられて高速で前に進み、車両の超伝導磁石が高速で通過すると両側の浮上・案内コイルに電流が流れて電磁石となり、前記電磁石は上下で磁極が対になっていて、車両の電磁石がＮ極の場所では、浮上・案内コイルのＳ極と引き付け合い、案内コイルのＮ極とは反発して車両を浮上させる仕組みであるのに対して、本発明では空気が注入されている円弧形の菅（５）に設けてある回転体Ａ（２）の底部（３）の「所定の範囲」と対面している多数の微細な孔（４）が回転体Ａ（２）の底部（３）の「所定の範囲」に塞がれて微細な孔（４）と円弧形の菅（５）の圧力は同一になるとともに前記圧力が高まり、回転体Ａ（２）の底部（３）を浮上させる発明であり、浮上させる装置は参考文献１では超伝導電磁石であり、本発明では圧縮空気であるので本発明は参考文献１とは異なる発明である。
地球温暖化防止のため日本が国際公約したＣＯ2削減達成のためには再生エネルギーの更なる普及が必要となるが、再生エネルギーのエース格と期待されていた太陽光発電の認可の一部取り消し等が発生し、再生エネルギーの更なる普及に黄色信号が灯ってしまった。
フランスとイギリスが２０４０年以降ガソリン車の販売を中止し、電気自動車及びハイブリッド車のみ販売を許可すると宣言し、中国やインドも電気自動車化を宣言している。目的は大気汚染防止と温暖化防止のためである。
電気自動車化が温暖化防止のためであるなら駆動源の電気も当然再生エネルギーでなければならない。
将来の電力供給においては少なくとも供給量の半分以上は再生エネルギーで賄うべしと考えた場合、再生エネルギーの中核を占める太陽光発電及び風力発電の発電量は気象条件に左右されるという欠点があり、火山大国の我が国では万一の噴火の可能性を考えると地熱発電の拡大にも限界がある。
求められている発電装置は今まで提案された事がない、新しいタイプの発電装置である。
回転体を摩擦抵抗ゼロで回転させ、前記回転体を所定の回転範囲内で回転させて回転中は前記回転体は何物にも接触せずに回転し、所定の回転数に制御して発電機に伝達すれば所定の発電量が生成可能な発電装置となる。
【先行技術文献】
【特許文献】
【０００３】
【非特許文献１】JR東海の公式サイト、超電導リニアについて
【発明の概要】
【発明が解決しようとする課題】
【０００４】
そこでこの発明は、上記の事情に鑑みてなされたものであり、回転体の摩擦抵抗をゼロにし、所定の回転範囲内で回転する回転体の回転を発電機に伝達して所定の発電量が生成可能の発電装置を創ることを課題とする。
【課題を解決するための手段】
【０００５】
電動モーター（１）の回転軸を回転体に連結し、回転体の下部に設けてある多数の微細な孔（４）が開けてある円弧形の菅（５）から空気を噴き出させ、前記空気が多数の微細な孔（４）を塞いでいた回転体の底部の「所定の範囲」を浮上させ、回転体の円周縁の2箇所に長手方向に設けてある2箇所のゴム磁石のＮ極と2箇所のゴム磁石と対面している円弧形の菅（５）に設けてある2箇所の永久磁石のＮ極が反発して回転体は所定の回転範囲内で回転することで課題を解決する。
【発明の効果】
【０００６】
回転体を空中に浮上させて摩擦抵抗ゼロで回転体を回転させ、その回転数を制御して発電機に伝達すれば理想的な発電装置になる。
回転体を空中に浮上させる手法の代表的手段はリニア新幹線の超伝導磁石を利用する方法である。リニア新幹線の超伝導磁石は液体ヘリウムをマイナス２６９度にして作られているが、液体ヘリウムの製造方法、マイナス２６９度の液体ヘリウムを保存する為の容器等コストが高くなることに加えて、近年ヘリウムの供給を上回る需要が発生し値上がり傾向にあり、今後もコスト高が続く見通しなのでコストが高いという欠点を持っている。
本発明は空気を内蔵している円弧形の菅（５）にある多数の微細な孔（４）が回転体の底部（３）に塞がれて生成される圧縮空気を利用して回転体を空中に浮上させるのでコストは圧倒的に安価であり、設置場所は電力使用場所に設置可能である。
【図面の簡単な説明】
【０００７】
【図１】は本発明全体の概略図。
【図２】は回転体Ａ（２）の底部（３）から回転体Ａ（２）の円周縁の垂直方向の高さの真ん中まで対面している回転体Ａ（２）と円弧形の菅の概念図。
【図３】は円弧形の菅（５）に取り付けてある多数の微細な孔（４）と対面している回転体Ａ（２）の底部（３）の「所定の範囲」の概念図。
【図４】は回転体Ａ（２）の断面図で、底部の水平方向の接線I（３６）、回転体Ａ（２）の中心点G（３４）を水平方向に通る線が回転体Ａ（２）の円周縁と交わる位置にあるゴム磁石（８）、ゴム磁石（１４）の概念図。
【図５】は回転体Ａ（２）の底部の円周縁J（３７）から円周縁k（３8）までの接線I（３６）の下部に設けてある円弧形の菅（５）の概念図。
【図６】は5相励磁のステッピングモーター型励磁回路の概念図。
【発明を実施するための形態】
【０００８】
発電機は周波数６０ＨＺ，極数は４極の同期発電機で、電動モーター（１）は電圧と周波数を変化させるインバーター（VVVF）制御方式とし、設置される回転体Ａ（２）は下部から空気を受けない状態で所定の発電量を生成するのに充分なトルクを必要とする荷重を有し、回転体Ａ（２）と発電機は１８００回／ｒｐｍで回転し、所定の発電量を発電する装置と作動について請求項と請求項以外の本発明に関する項目について、図1〜図６を使って説明する。
【０００９】
以下本発明に関する請求項以外の項目について述べる。
【００１０】
用語の説明
イ、「前方」について
本発明では発電機から一番離れている場所からみて発電機の方向を「前方」としている。
ロ、回転体Ａ（２）の底部（３）の「所定の範囲」について
本発明で使われている回転体Ａ（２）の底部（３）の「所定の範囲」は電動モーター（１）と対面している回転体Ａ（２）の断面の前記回転体Ａ（２）の中心点G（３４）から前記回転体Ａ（２）の円周縁へ引いてある垂線H（３５）と直交している前記回転体Ａ（２）の円周縁J（３７）から円周縁k（３8）までの接線I（３６）近傍の位置にある回転体Ａ（２）の底部（３）が円弧形の菅（５）に設けてある多数の微細な孔（４）を塞いでいる範囲のことである。
ハ、「５相励磁のステッピングモーター型励磁回路」について
「５相励磁のステッピングモーター型励磁回路」とは、１ステップ角＝０．７２°であり、回転軸が１周すると５００ステップ角進み、連続して回転するステップ角の数と、停止するステップ角の数は回転体Ａ（２）に取り付けてある回転センサーで決められ、回転体Ａ（２）の回転数の過不足に応じてその都度変更され、回転体Ａ（２）の回転数を増やしたい時、
回転するステップ角を連続して回転させ、回転数を減少させたい時、停止するステップ角を連続して停止させる。
連続したステップの作動は１ステップ角＝０．７２°の倍数で行われ、ステップ角を連続して回転させたり、停止させた後は１ステップ角毎に回転と停止を交互に繰り返す作動を交互に繰り返す。
【００１１】
本発明での電源について
本発明の電源は太陽光発電で得た電気で充電される蓄電池と連結されているDC電動モーターの回転で生成させた電気（特許第４３６２５４５号）が使用される。
この特許は  電力消費量を常に把握し、その電力消費量をランク付けし、ランク付けした
１ランク上の電力を供給するようにDC電動モーターの回転を制御するものである。
本発明において使用される電力消費量も常時把握されるとともにランク付けされ、そのランクの１ランク上の電気をDC電動モーターの回転速度を制御して供給することで電力消費に効率よく対応している。
太陽光発電と本発明で生成される発電のＣＯ2発生はゼロなので、クリ−ンエネルギー発電装置である。
【００１２】
本発明での5相励磁のステッピングモーター型励磁回路について
本発明には5相励磁のステッピングモーター型励磁回路が設けてある。
ステッピングモーター型励磁回路は、１ステップ角＝０．７２°であり、回転軸が１周すると５００ステップ角進み、回転体Ａ（２）の長手方向の径の真ん中の位置に設けてある。
図６に示す様に、同心円状環Ａ（２６ ）内に、鉄心に電線が巻かれた電磁石Ａ（２７）を設けたステーターＡ（２８）と、前記電磁石Ａ（２７）に対向していると共に、軸の周りに軸方向に同心状に磁化された磁石Ｂ（３０）が設けてあるローターＡ（２９）、及び、プログラマブルコントローラＡ（３１、図示せず）、コ ントローラＡ（３２、図示せず）及び電磁石Ａ（２７）と接続してあるドライバＡ（３３、 図示せず）で構成されている。
前記コントローラＡ（３２）に電流が流され、ドライバＡ（３３）へパルス信号が与えられ、ドライバＡ（３３）が電磁石Ａ（２７）の電流切り替えを行うと、電磁石 Ａ（２７）の磁極の切り替えが行われ、回転体Ａ（２）に取り付けてある回転センサーが回転体Ａ（２）の回転の過不足をキャッチし、連続して回転させるステップ角の回数、或いは連続して停止させるステップ角の回数を計算するコンピューターからの指令でパルス信号がドライバＡ（３３）へ与えられ、回転させるステップ角を連続して回転させたり、停止させるステップ角を連続して停止させて回転体Ａ（２）の所定の回転数は維持される。
例えば２ステップ角連続して回転させて回転体Ａ（２）の回転が所定の回転数に戻ったら、１ステップ角停止し、本来の１ステップ角毎の回転、停止を繰り返す作動に戻る。
回転数のブレは１ステップ角＝０．７２°の範囲内で修正されるので修正に要する時間が１ステップ角全部であったとしても、最大限１／５００回以内で修正され、このブレは累積せず回転数は１８００回／ｒｐｍに維持され、１８００回／ｒｐｍの回転は発電機に伝達され、同期発電を可能にする。
【００１３】
以下請求項について述べる。
【００１４】
本発明の装置の概略。
図１は本発明の全体の概略図である。
電動モーター（１）と対面して回転体Ａ（２）が設けてあり、回転体Ａ（２）は発電機（５３）方向に水平に伸ばして設けてあり、回転体Ａ（２）の「前方」に回転体Ａ（２）に連結されている回転軸（５２）が設けてあり、前記回転軸（５２）の他方は発電機（５３）に連結してある。
回転体Ａ（２）の底部と対面して図２に示す様に円弧形の菅（５）が設けられ、図４に示す様に電動モーター（１）と対面している回転体Ａ（２）の断面の前記回転体Ａ（２）の中心点G（３４）から前記回転体Ａ（２）の円周縁へ引いてある垂線H（３５）と直交している接線I（３６）があり、図５に示す様に前記接線I（３６）は回転体Ａ（２）の円周縁J（３７）から円周縁k（３8）の位置まで伸びていて、接線I（３６）近傍の位置にある回転体Ａ（２）の底部（３）の「所定の範囲」が円弧形の菅（５）に設けてある多数の微細な孔（４）を塞いでいる。
図３に示す様に前記回転体Ａ（２）の底部（３）の「所定の範囲」の部分に向き合って、前記円弧形の菅（５）の上部に設けてある多数の微細な孔（４）が開けられて設けてあり、前記円弧形の菅（５）内には送風機（２３）から送風された空気が内蔵されている。
回転体Ａ（２）の底部の長手方向に引かれた接線I（３６）近傍の位置にある回転体Ａ（２）の底部（３）の「所定の範囲」の下部に図５に示す様に多数の微細な孔（４）が取り付けてある円弧形の菅（５）が設けてある。
図５に示す様に前記接線I（３６）と平行して回転体Ａ（２）の中心点G（３４）を通過している線が回転体Ａ（２）の円周縁と交わっている回転体Ａ（２）の電動モーター（１）と対面している円周縁Ｏ（６）から発電機（５３）と対面している円周縁Ｐ（７）までにゴム磁石Ｑ（８）が設けてあり、前記ゴム磁石Ｑ（８）が前記円弧形の菅（５）に向き合っている磁極はＮ極R（９）である。
前記回転体Ａ（２）の電動モーター（１）と対面している円周縁Ｏ（６）から発電機（５３）と対面している円周縁Ｐ（７）までの部分と向き合っている前記円弧形の菅（５）には永久磁石Ｓ（１０）が設置され、前記永久磁石Ｓ（１０）の表面が回転体Ａ（２））に向き合っている磁極はＮ極Ｔ（１１）である。
前記ゴム磁石Ｑ（８）と回転体Ａ（２）の底部との中間にある回転体Ａ（２）の電動モーター（１）と対面している図５に示す円周縁Ｕ（１２）から発電機（５３）と対面している円周縁Ｖ（１３）までゴム磁石Ｗ（１４）が設けてあり、前記ゴム磁石Ｗ（１４）が前記円弧形の菅（５）に向き合っている磁極はＮ極Ｘ（１５）である。
前記円周縁Ｕ（１２）から円周縁Ｖ（１３）までの部分と向き合っている前記円弧形の菅（５）には永久磁石Ｙ（１６）が設置され、前記永久磁石Ｙ（１６）が回転体Ａ（２））に向き合っている磁極はＮ極Ｚ（１７）である。
【００１５】
垂直方向は回転体Ａ（２）の底部（３）から回転体Ａ（２）の円周縁の垂直方向の高さの真ん中までであって、図５に示す様に水平方向は前記回転体Ａ（２）の円周縁J（３７）から円周縁k（３8）に対面して円弧形の菅（５）が設けてあり、前記回転体Ａ（２）の底部（３）の「所定の範囲」の表面積に対面している前記円弧形の菅（５）の部分に図３に示す多数の微細な孔（４）が開けてあり、前記円弧形の菅（５）内には送風機（２３）からホース（２５）を経由した送風された空気が内蔵されており、前記ホース（２５）には送風機（２３）から円弧形の菅（５）内方向にのみ流入可能の逆止弁が設けてある。
空気には「粘性」があるので、円弧形の菅（５）の中の空気は微細な孔（４）の中を通り難くなっており、円弧形の菅（５）の中の圧力M（２１）は大気圧M0（２０）よりも若干高くなっている。
図３において、回転体Ａ（２）の底部（３）の前記「所定の範囲」に対面して設けてある前記円弧形の菅（５）の多数の微細な孔（４）を回転体Ａ（２）の底部（３）の前記「所定の範囲」が塞ぐと、孔（４）の中の空気の流れは緩やかになり、「ベルヌーイの定理」から圧力M１（１９）は圧力M（２１）程度まで高められ、圧力M（２１）が徐々に高められると圧力M１（１９）も高まり、前記回転体Ａ（２）の底部（３）の「所定の範囲」と対面している多数の微細な孔（４）を塞いでいる回転体Ａ（２）の底部（３）の「所定の範囲」の表面積をL（２２）とすると（M−M0）×Lの力より大きくなり、圧力M１（１９）が回転体Ａ（２）の下方から回転体Ａ（２）の底部（３）の「所定の範囲」に働き、回転体Ａ（２）の底部（３）を「浮上」させ、前記「浮上」は、回転体Ａ（２）の底部（３）に下向きに働いている重力と釣り合う位置まで「浮上」する。
前記孔（４）のそれぞれは回転体Ａ（２）の中心点G（３４）から回転体Ａ（２）の円周縁を結んでいる線に対して直角に引いてある接線に対して垂直方向に回転体Ａ（２）に向かって設けてあり、前記回転体Ａ（２）の底部（３）の「所定の範囲」の表面積近傍の孔（４）から出ている空気が回転体Ａ（２）の中心点G（３４）をずらして回転体Ａ（２）が前記円弧形の菅（５）に近づいても、前記Ｎ極Ｒ（９）と前記Ｎ極Ｔ（１１）、及び前記Ｎ極X（１５）と前記Ｎ極Z（１７）の2箇所に設けてある磁極同士が反発して回転体Ａ（２）は所定の回転範囲内に押し戻され、回転体Ａ（２）は円弧形の菅（５）に接触せずに所定の回転範囲内で回転する。
【００１６】
前記回転体Ａ（２）の底部（３）に下向きに働いている重力と釣り合う位置まで「浮上」が行われると回転体Ａ（２）の底部（３）の「所定の範囲」と前記回転体Ａ（２）の底部（３）の「所定の範囲」と対面している多数の微細な孔（４）との間の圧力M１（１９）は円弧形の菅（５）の中の圧力M（２１）より若干低くなり、回転体Ａ（２）の底部（３）は下がり始める。
図３に示す多数の微細な孔（４）と回転体Ａ（２）の底部（３）の「所定の範囲」との間隔は電子セオドライトと光波距離計を組み合せたトータルステーションで測られていて、前記間隔が所定の間隔に達すると回転体Ａ（２）の外側に設置されている送風機（２３）の回転数を増やしてホース（２５）を経由した送風量＝空気量が円弧形の菅（５）へ送風されて、円弧形の菅（５）内の空気量を増やして多数の微細な孔（４）と回転体Ａ（２）の底部（３）の「所定の範囲」との間隔は所定の距離に維持される。
【００１７】
図４は前記電動モーター（１）と対面している回転体Ａ（２）の断面図である。
回転体Ａ（２）の底部の水平方向に引かれた接線I（３６）と平行に前記回転体Ａ（２）の中心点G（３４）を通過している線が回転体Ａ（２）の円周縁と交わっている回転体Ａ（２）の電動モーター（１）と対面している図５に示す円周縁Ｏ（６）から発電機（５３）と対面している円周縁Ｐ（７）までゴム磁石Ｑ（８）が設けてあり、前記ゴム磁石Ｑ（８）と回転体Ａ（２）の底部との中間にゴム磁石Ｗ（１４）が設けてある。
【００１８】
前記ゴム磁石Ｑ（８）は図５に示す様に回転体Ａ（２）の長手方向に、回転体Ａ（２）の電動モーター（１）と対面している円周縁Ｏ（６）から発電機（５３）と対面している円周縁Ｐ（７）まで設けてあり、前記ゴム磁石Ｑ（８）が前記円弧形の菅（５）に向き合っている磁極はＮ極R（９）である。
前記円周縁Ｏ（６）から円周縁Ｐ（７）までの部分と向き合っている前記円弧形の菅（５）には永久磁石Ｓ（１０）が設置され、前記永久磁石Ｓ（１０）の表面が回転体Ａ（２））に向き合っている磁極はＮ極Ｔ（１１）である。
回転体Ａ（２）が前記円弧形の菅（５）に近づくと前記Ｎ極Ｒ（９）と前記Ｎ極Ｔ（１１）が反発して回転体Ａ（２）は所定の回転範囲内に押し戻される。
【００１９】
前記ゴム磁石Ｗ（１４）は図５に示す様に回転体Ａ（２）の電動モーター（１）と対面している円周縁Ｕ（１２）から発電機（５３）と対面している円周縁Ｖ（１３）までに設けてある。
ゴム磁石Ｗ（１４）の磁極であるＮ極Ｘ（１５）が前記円弧形の菅（５）に向き合っている。
前記電動モーター（１）と対面している円周縁Ｕ（１２）から発電機（５３）と対面している円周縁Ｖ（１３）までの部分と向き合っている前記円弧形の菅（５）には永久磁石Ｙ（１６）が設置され、前記永久磁石Ｙ（１６）が回転体Ａ（２））に向き合っている磁極はＮ極Ｚ（１７）である。
回転体Ａ（２）が前記円弧形の菅（５）に近づくと前記Ｎ極X（１５）と前記Ｎ極Z（１７）が反発して回転体Ａ（２）の回転は所定の回転範囲内に押し戻される。
【００２０】
回転体Ａ（２）は電動モーターの回転軸と連結されていて電動モーターの回転力で回転しているのに加えて、設置される回転体Ａ（２）は下部から空気を受けない状態で所定の発電量を生成するのに充分なトルクを必要とする荷重を有しており、回転体Ａ（２）は回転体Ａ（２）の底部からの空気で上方へ浮上し、摩擦抵抗ゼロで回転し、段落００１８及び段落００１９に詳述してある様に所定の回転範囲内で回転するので回転体Ａ（２）は円弧形の菅（５）に接触しないで回転する。
前記5相励磁のステッピングモーター型励磁回路の回転力も加わって、所定の発電量を発生させるのに要するトルクは確保され、回転体Ａ（２）を１８００回／ｒｐｍの速度に制御し、１８００回／ｒｐｍの回転が発電機（５３）に伝達され、同期発電を可能にする。
【符号の説明】
【００２１】
1＝電動モーター
２＝回転体Ａ
３＝回転体Ａ（２）の底部
４＝回転体Ａ（２）の底部（３）にある多数の微細な孔
５＝円弧形の菅
６＝電動モーター（１）と対面している回転体Ａ（２）の円周縁Ｏ
７＝回転体Ａ（２）の発電機（５３）と対面している円周縁Ｐ
８＝円周縁Ｏ（６）から発電機（５３）と対面している円周縁Ｐ（７）までに設けてあるゴム磁石Ｑ
９＝ゴム磁石Ｑ（８）のＮ極R
１０＝円弧形の菅（５）の永久磁石Ｓ
１１＝永久磁石Ｓ（１０）が回転体Ａ（２）に向き合っている表面のＮ極Ｔ
１２＝回転体Ａ（２）の電動モーター（１）と対面している円周縁Ｕ
１３＝回転体Ａ（２）の発電機（５３）と対面している円周縁Ｖ
１４＝ゴム磁石Ｗ
１５＝ゴム磁石Ｗ（１４）が前記円弧形の菅（５）に向き合っている表面のＮ極Ｘ
１６＝円弧形の菅（５）にある永久磁石Ｙ
１７＝永久磁石Ｙ（１６）が回転体Ａ（２））に向き合っている表面のＮ極Ｚ
１９＝多数の微細な孔（４）と回転体Ａ（２）の底部（３）との間の圧力M１
２０＝大気圧M0
２１＝回転体Ａ（２）の底部（３）の下面の圧力M
２２＝多数の微細な孔（４）を塞いでいる回転体Ａ（２）の底部（３）の面積L
２３＝送風機
２５＝送風機（２３）から円弧形の菅（５）へ連結されているホース
２６＝回転体Ａの長手方向の径の真ん中の位置に設けてある同心円状環Ａ
２７＝電磁石Ａ
２８＝ステーターＡ
２９＝ローターＡ
３０＝軸の周りに軸方向に同心状に磁化された磁石Ｂ
３１＝プログラマブルコントローラＡ
３２＝コ ントローラＡ
３３＝ドライバＡ
３４＝回転体Ａ（２）の中心点G
３５＝回転体Ａ（２）の中心点G（３４）から回転体Ａ（２）の円周縁へ引いてある垂線H
３６＝垂線H（３５）と直交している接線I
３７＝回転体Ａ（２）の円周縁J
３８＝回転体Ａ（２）の円周縁K
５２＝回転体Ａ（２）と発電機を繋いでいる回転軸
５３＝発電機
【図１】
2019122181.tif 000003
【図２】
2019122181.tif 000004
【図３】
2019122181.tif 000005
【図４】
2019122181.tif 000006
【図５】
2019122181.tif 000007
【図６】
2019122181.tif 000008